(57)【要約】  室内機（２）は、吸い込み口（１１）と吹き出し口（１２）とが形成された筐体（２ａ）と、吸い込み口（１１）から吹き出し口（１２）に向かう空気流を生成する送風ファン（２２）と、吸い込み口（１１）から吸い込まれた空気と室内機（２）の内部を流れる冷媒との間で熱交換を行う室内熱交換器（２１）と、を備える。また、室内機（２）は、送風ファン（２２）によって生成されて吸い込み口（１１）から室内熱交換器（２１）を通過して送風ファン（２２）に向かう空気流が通る第１風路（１３）と、送風ファン（２２）によって生成されて吸い込み口（１１）から室内熱交換器（２１）を通過せずに送風ファン（２２）に向かう空気流が通る第２風路（１４）とを備える。
2020026444.tif 000002
【特許請求の範囲】
【請求項１】
室内機と、
前記室内機との間で冷媒が循環される室外機と、
を備え、
前記室内機は、
吸い込み口と吹き出し口とが形成された筐体と、
前記吸い込み口から前記吹き出し口に向かう空気流を生成する送風ファンと、
前記吸い込み口から吸い込まれた空気と前記室内機の内部を流れる前記冷媒との間で熱交換を行う室内熱交換器と、
前記送風ファンによって生成されて前記吸い込み口から前記室内熱交換器を通過して前記送風ファンに向かう空気流が通る第１風路と、
前記送風ファンによって生成されて前記吸い込み口から前記室内熱交換器を通過せずに前記送風ファンに向かう空気流が通る第２風路と、
を備える空気調和機。
【請求項２】
前記第２風路を開閉可能な風路開閉板と、
前記第２風路を開放する開放位置または前記第２風路を閉鎖する閉鎖位置に前記風路開閉板を移動させる制御を行う制御部と、
を備え、
前記制御部は、冷房運転時に前記風路開閉板を前記開放位置に配置する制御を行う請求項１に記載の空気調和機。
【請求項３】
前記吸い込み口から吸い込まれた吸い込み空気の温度を計測する吸い込み温度センサと、
前記吹き出し口から吹き出される吹き出し空気の温度を計測する吹き出し温度センサと、
を備え、
前記制御部は、前記吸い込み空気の温度と前記吹き出し空気の温度との温度差があらかじめ定められた温度差閾値以上である場合に前記風路開閉板を前記開放位置に配置する制御を行う請求項２に記載の空気調和機。
【発明の詳細な説明】
【技術分野】
【０００１】
本発明は、吹き出し空気の可視化が可能な空気調和機に関する。
【背景技術】
【０００２】
従来、空気調和機では、空気調和機から吹き出される空気流の風向等について設定されている空気調和条件が実際にはどのような状態であるのかを確認したいという要求がある。そこで、空気調和機から吹き出される空気流を可視化することにより、空気流の風向等を確認することが可能となる。【０００３】
特許文献１には、空気中の水から取り出した結露水を用いて、放電電極から水粒子を発生する静電霧化装置と、静電霧化装置からの水粒子が浮遊する空間に超音波を送出する超音波発生装置とを室内機に備える空気調和機が開示されている。また、静電霧化装置としてペルチェ素子を用いることが開示されている。特許文献１の空気調和機によれば、静電気力によって水が霧化された微細な水粒子が吹出し口から放出されるため、空気調和機から吹き出される空気流を可視化することが可能である。
【先行技術文献】
【特許文献】
【０００４】
【特許文献１】特開２０１１−２１８６１号公報
【発明の概要】
【発明が解決しようとする課題】
【０００５】
しかしながら、上記特許文献１の空気調和機は、静電霧化装置と超音波発生装置とを備えるため構造が複雑になる、という問題があった。【０００６】
本発明は、上記に鑑みてなされたものであって、吹き出す空気流を簡単な構成で可視化することが可能な空気調和機を得ることを目的とする。
【課題を解決するための手段】
【０００７】
上述した課題を解決し、目的を達成するために、本発明にかかる空気調和機は、室内機と室内機との間で冷媒が循環される室外機とを備えた空気調和機である。室内機は、吸い込み口と吹き出し口とが形成された筐体と、吸い込み口から吹き出し口に向かう空気流を生成する送風ファンと、吸い込み口から吸い込まれた空気と室内機の内部を流れる冷媒との間で熱交換を行う室内熱交換器と、を備える。また、室内機は、送風ファンによって生成されて吸い込み口から室内熱交換器を通過して送風ファンに向かう空気流が通る第１風路と、送風ファンによって生成されて吸い込み口から室内熱交換器を通過せずに送風ファンに向かう空気流が通る第２風路と、を備える。
【発明の効果】
【０００８】
本発明にかかる空気調和機は、吹き出す空気流を簡単な構成で可視化することが可能である、という効果を奏する。
【図面の簡単な説明】
【０００９】
【図１】本発明の実施の形態１にかかる空気調和機の構成を模式的に示す構成図
【図２】本発明の実施の形態１にかかる空気調和機における室内機の外観を示す正面図
【図３】本発明の実施の形態１にかかる空気調和機における室内機の縦断面図であり、風路開閉板が開放位置にある場合の縦断面図
【図４】本発明の実施の形態１にかかる空気調和機における室内機の縦断面図であり、風路開閉板が閉鎖位置にある場合の縦断面図
【図５】本発明の実施の形態１にかかる空気調和機のリモートコントローラを示す正面図
【図６】本発明の実施の形態１にかかる空気調和機の機能構成を示すブロック図
【図７】本発明の実施の形態１にかかる処理回路のハードウェア構成の一例を示す図
【図８】本発明の実施の形態１にかかる空気調和機における風路確認モード運転時の動作の流れを説明するフローチャート
【発明を実施するための形態】
【００１０】
以下に、本発明の実施の形態にかかる空気調和機を図面に基づいて詳細に説明する。なお、この実施の形態によりこの発明が限定されるものではない。
【００１１】
実施の形態１．
図１は、本発明の実施の形態１にかかる空気調和機１の構成を模式的に示す構成図である。図２は、本発明の実施の形態１にかかる空気調和機１における室内機２の外観を示す正面図である。図３は、本発明の実施の形態１にかかる空気調和機１における室内機２の縦断面図であり、風路開閉板２６が開放位置にある場合の縦断面図である。図４は、本発明の実施の形態１にかかる空気調和機１における室内機２の縦断面図であり、風路開閉板２６が閉鎖位置にある場合の縦断面図である。図５は、本発明の実施の形態１にかかる空気調和機１のリモートコントローラ４を示す正面図である。図６は、本発明の実施の形態１にかかる空気調和機１の機能構成を示すブロック図である。図３および図４における矢印は、空気の流れる方向を示している。
【００１２】
図１に示すように、本実施の形態１にかかる空気調和機１は、セパレート型ルームエアコンディショナであり、室内の壁面に配置される室内機２、屋外に配置される室外機３および空気調和機１の動作を遠隔操作するリモートコントローラ４を備える。以下、リモートコントローラを、リモコンと呼ぶ場合がある。
【００１３】
室内機２と室外機３とは、室内機２の内部および室外機３の内部を通る冷媒配管５、および内外通信線６で接続されており、冷媒配管５には熱交換を行うための冷媒が流れている。空気調和機１は、１つの完結した冷凍サイクルを室外機３と室内機２とで形成している。空気調和機１は、冷媒配管５を通って室外機３と室内機２との間を循環する冷媒を使用して、空調対象空間である室内の空気と室外の空気との間で熱移動を行い、室内に対する空気調和を実現している。
【００１４】
室内機２は、一般的な空気調和機の室内機の機能を有し、筐体２ａと、室内熱交換器２１と、送風ファン２２と、風向調整部２３と、吸い込み温度センサ２４と、吹き出し温度センサ２５と、表示部２７と、室内機通信部２８と、室内機制御部２９と、を備えている。なお、室内機２が備える構成は、これらに限定されない。
【００１５】
筐体２ａは、室内機２の外殻をなし、室内熱交換器２１および送風ファン２２などの構成部を収納する。筐体２ａは、室内機２が室内に配置された状態における上部に、送風ファン２２の駆動時に室内空気が吸い込まれる吸い込み口１１が形成されている。また、筐体２ａは、室内機２が室内に配置された状態における下部に、送風ファン２２の駆動時に吸い込み口１１から吸い込まれた空気が室内に吹き出される吹き出し口１２が形成されている。筐体２ａは、筐体ａの上面および前面を覆って筐体２ａ一部をなす前面パネル２ｂを備える。吸い込み口１１は、室内機２が室内に配置された状態における前面パネル２ｂの上面に形成されている。
【００１６】
室内熱交換器２１は、筐体２ａの内部に配置されて、室内機２が配置された室内の空気と冷媒配管５中を流れる冷媒との熱交換を行う。すなわち、室内熱交換器２１は、吸い込み口１１から吸い込まれた吸い込み空気と、室内機２の内部に配置された冷媒配管５を流れる冷媒との熱交換を行う。
【００１７】
送風ファン２２は、筐体２ａの内部に配置されて、吸い込み口１１から吹き出し口１２に向かう空気流を生成して、室内熱交換器２１で熱交換された調和空気または後述する霧を含有する霧含有空気を室内機２から室内に送り出す。送風ファン２２は、室内熱交換器２１の下流側に配置されている。
【００１８】
風向調整部２３は、吹き出し口１２に配置され、室内機２から室内に吹き出す空気の吹き出し方向を調整する。風向調整部２３は、吹き出し口１２から室内に吹き出される空気流の鉛直方向における風向きを変更する第１風向板２３ａと、吹き出し口１２から室内に吹き出されるす空気流の水平方向における風向きを変更する第２風向板２３ｂと、により構成されている。第２風向板２３ｂは、第１風向板２３ａよりも内部側に設けられている。第１風向板２３ａと第２風向板２３ｂとは、共に図示しない駆動用モータによって動きが制御される。
【００１９】
吸い込み温度センサ２４は、吸い込み口１１と室内熱交換器２１との間の領域、すなわち室内熱交換器２１の上流側の領域に配置されており、吸い込み口１１から吸い込まれた吸い込み空気である室内空気の温度をあらかじめ定められた周期で計測し、計測結果を室内機制御部２９に送信する。
【００２０】
吹き出し温度センサ２５は、吹き出し口１２、すなわち室内熱交換器２１の下流側の領域に配置されており、吹き出し口１２から室内に吹き出される吹き出し空気である調和空気の温度を定められた周期で計測し、室内機制御部２９に送信する。
【００２１】
風路開閉板２６は、室内熱交換器２１を通らずに吸い込み口１１と送風ファン２２とを繋ぐバイパス風路上に配置されている。室内機２内には、送風ファン２２によって生成されて吸い込み口１１から室内熱交換器２１を通過して送風ファン２２に向かう空気流が通る第１風路１３と、送風ファン２２によって生成されて吸い込み口１１から室内熱交換器２１を通過せずに送風ファン２２に向かう空気流が通る第２風路１４と、が形成されている。第２風路１４は、バイパス風路である。そして、風路開閉板２６は、第２風路１４を開閉可能に設けられている。
【００２２】
風路開閉板２６は、水平方向に平行な回転軸２６ａを有し、回転軸２６ａを中心として室内機２に対して回転自在に配置されている。風路開閉板２６の回動軸は、駆動モータによって回転される。風路開閉板２６は、回転することにより、図３に示すように第２風路１４を開放する開放位置と、図４に示すように第２風路１４を閉鎖する閉鎖位置と、に移動可能とされている。風路開閉板２６は、風路確認モードでの冷房運転時以外は、閉鎖位置に配置されている。風路開閉板２６の開放位置または閉鎖位置への移動は、室内機制御部２９によって制御される。
【００２３】
表示部２７は、筐体２ａの外面に露出した状態で配置されて、空気調和機１の運転状態の表示を行う。
【００２４】
室内機通信部２８は、空気調和機１における各構成部との情報送受信を実施する。すなわち、室内機通信部２８は、内外通信線６を介して室外機３との間で互いに情報の双方向通信が可能である。また、室内機通信部２８は、無線通信または有線通信によってリモコン４との間で互いに情報の双方向通信が可能である。
【００２５】
室内機制御部２９は、室内機２を含む空気調和機１全体の動作を制御する制御部である。室内機制御部２９は、リモコン４で受け付けたユーザからの制御指令に対応して室内機２および室外機３を制御して空気調和機１を制御する制御部である。室内機制御部２９は、空気調和機１の冷房運転の制御として、一般的な冷房運転を実施する通常モードでの制御と、冷房運転時に室内機２から室内に吹き出される空気流の流路を可視化することが可能な運転モードである風路確認モードでの制御が可能である。すなわち、空気調和機１は、通常モードと風路確認モードでの冷房運転が可能である。
【００２６】
室内機制御部２９は、風路確認モードで運転する場合に、吸い込み口１１から吸い込まれた吸い込み空気の温度と、吹き出し口１２から吹き出される吹き出し空気の温度と、の温度差があらかじめ定められた温度差閾値以上である場合に、風路開閉板２６を開放位置に配置する制御を行う。風路確認モードにおける室内機制御部２９の制御については、後述する。また、室内機制御部２９は、時計機能を有する。
【００２７】
また、室内機制御部２９は、例えば、図７に示したハードウェア構成の処理回路として実現される。図７は、本発明の実施の形態１にかかる処理回路のハードウェア構成の一例を示す図である。室内機制御部２９が図７に示す処理回路により実現される場合、室内機制御部２９は、例えば、図７に示すメモリ１０２に記憶されたプログラムをプロセッサ１０１が実行することにより、実現される。また、複数のプロセッサおよび複数のメモリが連携して上記機能を実現してもよい。また、室内機制御部２９の機能のうちの一部を電子回路として実装し、他の部分をプロセッサ１０１およびメモリ１０２を用いて実現するようにしてもよい。
【００２８】
また、室内機通信部２８を、同様にメモリ１０２に記憶されたプログラムをプロセッサ１０１が実行することにより、実現されるように構成してもよい。また、室内機通信部２８を実現するためのプロセッサおよびメモリは、室内機制御部２９を実現するプロセッサおよびメモリと同一であってもよいし、別のプロセッサおよびメモリであってもよい。
【００２９】
室外機３は、一般的な空気調和機の室外機の機能を有し、室外の空気と冷媒回路中を流れる冷媒との熱交換を行うための室外熱交換器３１と、室外に風を送り出すファン３２と、冷媒回路において冷媒圧縮を行うコンプレッサ３３と、圧力および各種温度をあらかじめ決められた周期で測定するための各種センサ３４と、室内機２との情報送受信を実施するための室外機通信部３５と、室内機２との情報送受信を実施するための室外機通信部３５と、室外機３の動作を制御する室外機制御部３６と、を備えている。
【００３０】
各種センサ３４は、検出した温度または圧力を室外機通信部３５を介して既定の周期で室内機２の室内機制御部２９に送信する。各種センサ３４には、サーミスタを用いて構成されて外気温度を検出する外気温度センサ、コンプレッサ３３の吐出温度を検出する吐出温度センサ、コンプレッサ３３の吐出圧を検出する吐出圧センサ、コンプレッサ３３の吸入圧を検出する吸入圧センサなどが挙げられる。
【００３１】
室外機制御部３６は、室内機制御部２９からの制御命令に対応して室外機３を制御する制御部である。室外機制御部３６は、室外機３が備える各種センサ３４と接続されており、各種センサ３４で検出された検出値を取得する。
【００３２】
リモコン４は、設定操作を受け付けるリモートコントローラ操作部４１と、各種情報を表示する表示部であるリモートコントローラ表示部４２と、空気調和機１における空調処理に必要な各種の情報を記憶するリモートコントローラ記憶部４３と、室内機２の室内機通信部２８との間で情報の通信を行うリモートコントローラ通信部４４と、リモコン４の処理を制御するリモートコントローラ制御部４５と、を備える。
【００３３】
リモコン操作部４１は、ユーザからの操作を受け付けると、ユーザの操作に応じた情報を操作信号としてリモコン制御部４５に出力する。
【００３４】
リモコン表示部４２は、空気調和機１の設定温度および運転モードといった空気調和機１による空気調和において必要となる情報および状態の表示を行い、リモコン操作部４１での操作に対応した画面を切り替えて表示する。リモコン表示部４２は、文字、記号、異常コード、画像などを表示することが可能である。
【００３５】
リモコン記憶部４３は、リモコン表示部４２に表示するための設定内容、設定内容に関する画像データを一時的または長期的に記憶する。
【００３６】
リモコン通信部４４は、室内機２の室内機通信部２８との間で無線通信によって互いに情報の双方向通信が可能である。なお、リモコン通信部４４と室内機２の室内機通信部２８との接続は、ワイヤレス接続またはワイヤード接続のいずれでもよい。すなわち、リモコン通信部４４は、室内機２の室内機通信部２８との間で有線通信により互いに情報の双方向通信を行ってもよい。
【００３７】
リモコン制御部４５は、リモコン操作部４１から出力される操作信号に基づいて、リモコン４の制御を行う。
【００３８】
リモコン制御部４５は、例えば、図７に示したハードウェア構成の処理回路として実現される。リモコン制御部４５を構成する各構成要素が図７に示す処理回路により実現される場合、リモコン制御部４５を構成する各構成要素は、プロセッサ１０１がメモリ１０２に記憶されたプログラムを実行することにより、実現される。また、複数のプロセッサおよび複数のメモリが連携して上記機能を実現してもよい。また、リモコン制御部４５の機能のうちの一部を電子回路として実装し、他の部分をプロセッサ１０１およびメモリ１０２を用いて実現するようにしてもよい。
【００３９】
また、リモコン通信部４４を、同様にプロセッサ１０１がメモリ１０２に記憶されたプログラムを実行することにより、実現されるように構成してもよい。また、リモコン通信部４４を実現するためのプロセッサおよびメモリは、リモコン制御部４５を実現するプロセッサおよびメモリと同一であってもよいし、別のプロセッサおよびメモリであってもよい。
【００４０】
つぎに、本実施の形態１にかかる空気調和機１が風路確認モードで運転する場合の処理について説明する。図８は、本発明の実施の形態１にかかる空気調和機１における風路確認モード運転時の動作の流れを説明するフローチャートである。
【００４１】
ステップＳ１０において、リモコン４のリモコン操作部４１において冷房運転開始の指令を受け付ける。すなわち、空気調和機１のユーザがリモコン４のリモコン操作部４１において運転ボタンおよび運転条件入力ボタンを操作して、運転開始の指令および通常モードでの冷房運転の空気調和条件を設定すると、リモコン操作部４１がこれらの指令を冷房運転開始の指令として受け付ける。リモコン操作部４１は、冷房運転開始の指令をリモコン制御部４５に送信する。リモコン制御部４５は、冷房運転開始の指令を、リモコン通信部４４および室内機２の室内機通信部２８を介して室内機制御部２９に送信する。
【００４２】
ステップＳ２０において室内機制御部２９は、冷房運転開始の指令を受信すると、ユーザによって設定された空気調和条件になるよう、室内機２および室外機３の各機器に運転制御情報を送信して空気調和機１の冷房運転を開始させる。
【００４３】
空気調和機１の冷房運転の開始後、ステップＳ３０においてリモコン制御部４５は、表示指令を受信すると、風路確認モードボタンをリモコン表示部４２に表示させる。室内機制御部２９は、リモコン４のリモコン表示部４２に風路確認モードボタンを表示させる制御を行う。すなわち、室内機制御部２９は、風路確認モードボタンを表示させる表示指令をリモコン制御部４５に送信する。風路確認モードボタンは、ユーザが風路確認モードの開始の指令をリモコン操作部４１において設定するための操作ボタンである。リモコン制御部４５は、表示指令を受信すると、風路確認モードボタンをリモコン表示部４２に表示させる。
【００４４】
リモコン操作部４１は、ユーザによって風路確認モードボタンが選択された場合に、風路確認モード開始の指令を室内機制御部２９に送信する。
【００４５】
つぎに、ステップＳ４０において室内機制御部２９は、風路確認モード開始の指令を受信したか否かを判定する。風路確認モード開始の指令を受信していない場合には、ステップＳ４０においてＮｏとなり、室内機制御部２９はステップＳ４０を繰り返す。風路確認モード開始の指令を受信した場合には、ステップＳ４０においてＹｅｓとなり、ステップＳ５０に進む。
【００４６】
ステップＳ５０において室内機制御部２９は、吸い込み口１１から吸い込まれた吸い込み空気である室内空気の温度の計測を開始させる制御を吸い込み温度センサ２４に行う。吸い込み温度センサ２４は、吸い込み口１１から吸い込まれた吸い込み空気の温度をあらかじめ定められた周期で計測し、計測結果を室内機制御部２９に送信する。
【００４７】
つぎに、ステップＳ６０において室内機制御部２９は、室内機２から室内に吹き出される吹き出し空気である調和空気の温度の計測を開始させる制御を吹き出し温度センサ２５に行う。吹き出し温度センサ２５は、吹き出し口１２から室内に吹き出される調和空気の温度をあらかじめ定められた周期で計測し、計測結果を室内機制御部２９に送信する。ステップＳ６０において計測される調和空気の温度は、吸い込み口１１から吸い込まれた後に室内熱交換器２１を通過して熱交換されて、吹き出し口１２から室内に吹き出される吹き出し空気の温度である。このように吸い込み口１１から吸い込まれた後に室内熱交換器２１を通過して室内機２から室内に吹き出される熱交換吹き出し空気は、室内熱交換器２１において熱交換されている。
【００４８】
つぎに、ステップＳ７０において室内機制御部２９は、吸い込み空気の温度と吹き出し空気の温度とに、あらかじめ定められた温度差閾値以上の温度差があるか否かを判定する。すなわち、室内機制御部２９は、ステップＳ５０において計測された吸い込み空気の温度と、ステップＳ６０において計測された吹き出し空気の温度と、を比較し、吸い込み空気の温度と吹き出し空気の温度との温度差があらかじめ定められた温度差閾値以上であるか否かを判定する。
【００４９】
温度差閾値は、後述するように風路開閉板２６を開放するか否かを判定するための閾値である。温度差閾値は、後述するように、相対的に低温の空気である熱交換吹き出し空気と相対的に高温の空気である非熱交換吹き出し空気とが混合されることによって極小の水滴である霧を含んだ霧含有空気を生成可能な値にあらかじめ定められて室内機制御部２９に記憶される。温度差閾値は、たとえば熱交換吹き出し空気の温度によって異なる値であってもよい。なお、温度差閾値は、空気調和機１において、室内機制御部２９以外の構成部に記憶されてもよい。
【００５０】
吸い込み空気の温度と吹き出し空気の温度との温度差が温度差閾値未満である場合は、ステップＳ７０においてＮｏとなり、室内機制御部２９は、新たに受信する吸い込み空気の温度と吹き出し空気の温度とに対してステップＳ７０を繰り返す。この場合、風路開閉板２６は、第２風路１４を閉鎖する状態を維持する。吸い込み空気の温度と吹き出し空気の温度との温度差が温度差閾値以上である場合は、ステップＳ７０においてＹｅｓとなり、ステップＳ８０に進む。
【００５１】
つぎに、ステップＳ８０において室内機制御部２９は、風路開閉板２６を開放する制御、すなわち風路開閉板２６を開放位置に移動させる制御を行う。風路開閉板２６は、室内機制御部２９の制御により開放位置に移動する。風路開閉板２６が開放位置に移動することにより、室内熱交換器２１を通らずに吸い込み口１１と送風ファン２２とを繋ぐ第２風路１４が開放される。
【００５２】
これにより、ステップＳ９０において、室内機２は、吸い込み口１１から吸い込まれた吸い込み空気の一部を、室内熱交換器２１を通さずに室内機２から室内に送風する。すなわち、吸い込み口１１から吸い込まれた吸い込み空気の一部は、第２風路１４を通って送風ファン２２に到達し、室内熱交換器２１を通過せずに、室内機２から室内に吹き出される。このように吸い込み口１１から吸い込まれた後に室内熱交換器２１を通過せずに吹き出し口１２から室内に吹き出される非熱交換吹き出し空気は、室内熱交換器２１において熱交換されていない。
【００５３】
ここで、熱交換吹き出し空気の温度と非熱交換吹き出し空気の温度とを比較すると、熱交換吹き出し空気の温度は、非熱交換吹き出し空気の温度に比べて、相対的に低温である。すなわち、非熱交換吹き出し空気の温度は、熱交換吹き出し空気の温度に比べて、相対的に高温である。また、熱交換吹き出し空気の温度に比べて相対的に高温である非熱交換吹き出し空気は、熱交換吹き出し空気の温度に比べて、相対的に高湿である。したがって、非熱交換吹き出し空気は、熱交換吹き出し空気の温度に比べて、相対的に高温高湿な状態にある。
【００５４】
そして、ステップＳ１００において、相対的に低温の空気である熱交換吹き出し空気と相対的に高温高湿の空気である非熱交換吹き出し空気とが、送風ファン２２によって撹拌され、混合される。相対的に高温である非熱交換吹き出し空気は、相対的に低温である熱交換吹き出し空気と比べてより多くの水蒸気が含まれているため、熱交換吹き出し空気と混ざり合う過程で水滴が生じ、極小の水滴である霧を含んだ霧含有空気が生成される。
【００５５】
そして、ステップＳ１１０において、室内機２は、送風ファン２２の生成する空気流によって、霧を含んだ霧含有空気を吹き出し口１２から室内に吹き出す。ここで、吹き出し口１２から吹き出された霧含有空気は、霧を含んだ状態であるため可視化されており、ユーザが霧含有空気の空気流を視認することが可能となる。
【００５６】
風路確認モードを長時間運転し続ける場合には、室内に露を飛ばし続けることになり、室内を濡らしてしまう。このため、ステップＳ１２０において室内機制御部２９は、風路確認モードを開始してから、既定の運転時間が経過したか否かを判定する。既定の運転時間が経過したと判定された場合には、ステップＳ１２０においてＹｅｓとなり、ステップＳ１４０に進む。既定の運転時間が経過していないと判定された場合には、ステップＳ１２０においてＮｏとなり、ステップＳ１３０に進む。
【００５７】
ステップＳ１３０において室内機制御部２９は、風路確認モード終了の指令を受信したか否かを判定する。リモコン操作部４１は、ユーザによって風路確認モード終了のボタンを選択された場合に、風路確認モード終了の指令を室内機制御部２９に送信する。風路確認モード終了の指令を受信していないと判定された場合には、ステップＳ１３０においてＮｏとなり、室内機制御部２９はステップＳ７０に戻る。風路確認モード終了の指令を受信したと判定された場合には、ステップＳ１３０においてＹｅｓとなり、ステップＳ１４０に進む。
【００５８】
ステップＳ１４０において室内機制御部２９は、風路確認モードを終了させる制御を行う。すなわち風路開閉板２６を閉鎖位置に移動させる制御を行う。風路開閉板２６は、室内機制御部２９の制御により閉鎖位置に移動する。風路開閉板２６が閉鎖位置に移動することにより、第３風路が閉鎖される。
【００５９】
上述したように、本実施の形態１にかかる空気調和機１は、冷房運転において、吸い込み口１１から吸い込まれた後に室内熱交換器２１を通過して室内機２から室内に吹き出される相対的に低温である熱交換吹き出し空気と、吸い込み口１１から吸い込まれた後に室内熱交換器２１を通過せずに吹き出し口１２から室内に吹き出される相対的に高温である非熱交換吹き出し空気とを混合させることにより、室内機２内において霧を含む霧含有空気を生成することができる。そして、霧含有空気を室内機２から吹き出すことにより、室内機２から吹き出す空気流を可視化することが可能である。
【００６０】
これにより、ユーザは空気調和機１から吹き出される空気流の風向等について設定されている空気調和条件が実際にはどのような状態であるのかを目で見て確認することができ、風向等の空気調和条件の設定の効果を実感できる。また、ユーザは、室内機２から吹き出される空気流を見ることで、風向等の空気調和条件の設定を所望の条件に変更することが容易になる。
【００６１】
そして、空気調和機１は、風路開閉板２６を開放位置に移動させて相対的に高温である非熱交換吹き出し空気が流れる第２風路１４を開放するだけで、室内機２から吹き出す空気流を可視化することが可能である。これにより、空気調和機１は、静電霧化装置および超音波発生装置などの複数の装置を備えることなく、簡単な構成で、且つ低コストで可視化することが可能である。
【００６２】
したがって、本実施の形態１にかかる空気調和機１は、空気調和機１から吹き出される空気流を簡単な構成で可視化することが可能である、という効果を奏する。
【００６３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６４】
１  空気調和機、２  室内機、２ａ  筐体、２ｂ  前面パネル、３  室外機、４  リモートコントローラ、５  冷媒配管、６  内外通信線、１１  吸い込み口、１２  吹き出し口、１３  第１風路、１４  第２風路、２１  室内熱交換器、２２  送風ファン、２３  風向調整部、２３ａ  第１風向板、２３ｂ  第２風向板、２４  温度センサ、２５  温度センサ、２６  風路開閉板、２６ａ  回転軸、２７  表示部、２８  室内機通信部、２９  室内機制御部、３１  室外熱交換器、３２  ファン、３３  コンプレッサ、３４  各種センサ、３５  室外機通信部、３６  室外機制御部、４１  リモートコントローラ操作部、４２  リモートコントローラ表示部、４３  リモートコントローラ記憶部、４４  リモートコントローラ通信部、４５  リモートコントローラ制御部、１０１  プロセッサ、１０２  メモリ。
【図１】
2020026444.tif 000003
【図２】
2020026444.tif 000004
【図３】
2020026444.tif 000005
【図４】
2020026444.tif 000006
【図５】
2020026444.tif 000007
【図６】
2020026444.tif 000008
【図７】
2020026444.tif 000009
【図８】
2020026444.tif 000010
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
室内機と、
前記室内機との間で冷媒が循環される室外機と、
を備え、
前記室内機は、
吸い込み口と吹き出し口とが形成された筐体と、
前記吸い込み口から前記吹き出し口に向かう空気流を生成する送風ファンと、
前記吸い込み口から吸い込まれた空気と前記室内機の内部を流れる前記冷媒との間で熱交換を行う室内熱交換器と、
前記送風ファンによって生成されて前記吸い込み口から前記室内熱交換器を通過して前記送風ファンに向かう空気流が通る第１風路と、
前記送風ファンによって生成されて前記吸い込み口から前記室内熱交換器を通過せずに前記送風ファンに向かう空気流が通る第２風路と、
前記第２風路を開閉可能な風路開閉板と、
前記吸い込み口から吸い込まれた吸い込み空気の温度を計測する吸い込み温度センサと、
前記吹き出し口から吹き出される吹き出し空気の温度を計測する吹き出し温度センサと、
前記第２風路を開放する開放位置または前記第２風路を閉鎖する閉鎖位置に前記風路開閉板を移動させる制御を行う制御部と、
を備え、
前記制御部は、冷房運転時に、前記吸い込み空気の温度と前記吹き出し空気の温度との温度差があらかじめ定められた温度差閾値以上である場合に前記風路開閉板を前記開放位置に配置する制御を行う空気調和機。
【手続補正２】
【補正対象書類名】明細書
【補正対象項目名】０００７
【補正方法】変更
【補正の内容】
【０００７】
上述した課題を解決し、目的を達成するために、本発明にかかる空気調和機は、室内機と室内機との間で冷媒が循環される室外機とを備えた空気調和機である。室内機は、吸い込み口と吹き出し口とが形成された筐体と、吸い込み口から吹き出し口に向かう空気流を生成する送風ファンと、吸い込み口から吸い込まれた空気と室内機の内部を流れる冷媒との間で熱交換を行う室内熱交換器と、を備える。また、室内機は、送風ファンによって生成されて吸い込み口から室内熱交換器を通過して送風ファンに向かう空気流が通る第１風路と、送風ファンによって生成されて吸い込み口から室内熱交換器を通過せずに送風ファンに向かう空気流が通る第２風路と、第２風路を開閉可能な風路開閉板と、吸い込み口から吸い込まれた吸い込み空気の温度を計測する吸い込み温度センサと、吹き出し口から吹き出される吹き出し空気の温度を計測する吹き出し温度センサと、第２風路を開放する開放位置または第２風路を閉鎖する閉鎖位置に風路開閉板を移動させる制御を行う制御部と、を備え、制御部は、冷房運転時に、吸い込み空気の温度と吹き出し空気の温度との温度差があらかじめ定められた温度差閾値以上である場合に風路開閉板を開放位置に配置する制御を行う。
【手続補正３】
【補正対象書類名】明細書
【補正対象項目名】００１４
【補正方法】変更
【補正の内容】
【００１４】
室内機２は、一般的な空気調和機の室内機の機能を有し、筐体２ａと、室内熱交換器２１と、送風ファン２２と、風向調整部２３と、吸い込み温度センサ２４と、吹き出し温度センサ２５と、風路開閉板２６と、表示部２７と、室内機通信部２８と、室内機制御部２９と、を備えている。なお、室内機２が備える構成は、これらに限定されない。
【手続補正４】
【補正対象書類名】明細書
【補正対象項目名】００１５
【補正方法】変更
【補正の内容】
【００１５】
筐体２ａは、室内機２の外殻をなし、室内熱交換器２１および送風ファン２２などの構成部を収納する。筐体２ａは、室内機２が室内に配置された状態における上部に、送風ファン２２の駆動時に室内空気が吸い込まれる吸い込み口１１が形成されている。また、筐体２ａは、室内機２が室内に配置された状態における下部に、送風ファン２２の駆動時に吸い込み口１１から吸い込まれた空気が室内に吹き出される吹き出し口１２が形成されている。筐体２ａは、筐体２ａの上面および前面を覆って筐体２ａの一部をなす前面パネル２ｂを備える。吸い込み口１１は、室内機２が室内に配置された状態における前面パネル２ｂの上面に形成されている。
【手続補正５】
【補正対象書類名】明細書
【補正対象項目名】００１８
【補正方法】変更
【補正の内容】
【００１８】
風向調整部２３は、吹き出し口１２に配置され、室内機２から室内に吹き出す空気の吹き出し方向を調整する。風向調整部２３は、吹き出し口１２から室内に吹き出される空気流の鉛直方向における風向きを変更する第１風向板２３ａと、吹き出し口１２から室内に吹き出される空気流の水平方向における風向きを変更する第２風向板２３ｂと、により構成されている。第２風向板２３ｂは、第１風向板２３ａよりも内部側に設けられている。第１風向板２３ａと第２風向板２３ｂとは、共に図示しない駆動用モータによって動きが制御される。
【手続補正６】
【補正対象書類名】明細書
【補正対象項目名】００２９
【補正方法】変更
【補正の内容】
【００２９】
室外機３は、一般的な空気調和機の室外機の機能を有し、室外の空気と冷媒回路中を流れる冷媒との熱交換を行うための室外熱交換器３１と、室外に風を送り出すファン３２と、冷媒回路において冷媒圧縮を行うコンプレッサ３３と、圧力および各種温度をあらかじめ決められた周期で測定するための各種センサ３４と、室内機２との情報送受信を実施するための室外機通信部３５と、室外機３の動作を制御する室外機制御部３６と、を備えている。
【手続補正７】
【補正対象書類名】明細書
【補正対象項目名】００５８
【補正方法】変更
【補正の内容】
【００５８】
ステップＳ１４０において室内機制御部２９は、風路確認モードを終了させる制御を行う。すなわち風路開閉板２６を閉鎖位置に移動させる制御を行う。風路開閉板２６は、室内機制御部２９の制御により閉鎖位置に移動する。風路開閉板２６が閉鎖位置に移動することにより、第２風路１４が閉鎖される。
【手続補正８】
【補正対象書類名】明細書
【補正対象項目名】００６４
【補正方法】変更
【補正の内容】
【００６４】
１  空気調和機、２  室内機、２ａ  筐体、２ｂ  前面パネル、３  室外機、４  リモートコントローラ、５  冷媒配管、６  内外通信線、１１  吸い込み口、１２  吹き出し口、１３  第１風路、１４  第２風路、２１  室内熱交換器、２２  送風ファン、２３  風向調整部、２３ａ  第１風向板、２３ｂ  第２風向板、２４  吸い込み温度センサ、２５  吹き出し温度センサ、２６  風路開閉板、２６ａ  回転軸、２７  表示部、２８  室内機通信部、２９  室内機制御部、３１  室外熱交換器、３２  ファン、３３  コンプレッサ、３４  各種センサ、３５  室外機通信部、３６  室外機制御部、４１  リモートコントローラ操作部、４２  リモートコントローラ表示部、４３  リモートコントローラ記憶部、４４  リモートコントローラ通信部、４５  リモートコントローラ制御部、１０１  プロセッサ、１０２  メモリ。
【国際調査報告】
2020026444.tif 000011
2020026444.tif 000012
2020026444.tif 000013
2020026444.tif 000014